(57)【要約】【課題】４枚構成の撮像レンズにおいて、特に単色性能、倍率の色収差を維持したまま、より光学全長を短く、センサー入射角度を小さく、焦点深度を深くする。【解決手段】物体側から順に、物体側のレンズ面Ｓａ１が近軸領域で凸面をなす正の第１レンズＬ１と、負の第２レンズＬ２と、物体側のレンズ面Ｓａ３が近軸領域で凹面をなす正の第３レンズＬ３と、像側のレンズ面Ｓｂ４における周辺部が正のパワーを有するように形成された負の第４レンズＬ４とを配した実質的に４枚のレンズからなり、条件式（１）０≦ΔＮ≦０．１、条件式（２）０≦Δν≦１０、条件式（３）−２．０＜ｆ２／ｆ＜−０．５を同時に満足する。ただし、ΔＮを第１レンズＬ１から第４レンズＬ４におけるｄ線に対する屈折率の最大値と最小値との差の絶対値、Δνを第１レンズＬ１から第４レンズＬ４におけるｄ線に対するアッベ数の最大値と最小値との差の絶対値とする。【選択図】図１
2013182132.tif 000002
【特許請求の範囲】
【請求項１】
物体側から順に、物体側のレンズ面が近軸領域で凸面をなす正のパワーを有する第１レンズと、負のパワーを有する第２レンズと、物体側のレンズ面が近軸領域で凹面をなす正のパワーを有する第３レンズと、負のパワーを有し像側のレンズ面における周辺部が正のパワーを有するように形成された第４レンズとを配した実質的に４枚のレンズからなり、
以下の条件式（１）、（２）、（３）を同時に満足するものであることを特徴とする４枚構成の撮像レンズ。
０≦ΔＮ≦０．１  ・・・（１）
０≦Δν≦１０  ・・・（２）
−２．０＜ｆ２／ｆ＜−０．５  ・・・（３）
ただし、
ΔＮ：撮像レンズを構成するレンズのｄ線に対する屈折率の最大値と最小値との差の絶対値
Δν：撮像レンズを構成するレンズのｄ線に対するアッベ数の最大値と最小値との差の絶対値
ｆ：レンズ全系の焦点距離
ｆ２：第２レンズの焦点距離
【請求項２】
さらに、以下の条件式（４）を満足するものであることを特徴とする請求項１記載の撮像レンズ。
０．５５＜ｆ１／ｆ＜１．０  ・・・（４）
ただし、
ｆ１：第１レンズの焦点距離
【請求項３】
さらに、以下の条件式（５）を満足するものであることを特徴とする請求項１または２記載の撮像レンズ。
０．０≦ｆ３／ｆ＜１．５  ・・・（５）
ただし、
ｆ３：第３レンズの焦点距離
【請求項４】
さらに、以下の条件式（６）を満足するものであることを特徴とする請求項１乃至３のいずれか１項記載の撮像レンズ。
−２．５＜ｆ４／ｆ＜０．０  ・・・（６）
ただし、
ｆ４：第４レンズの焦点距離
【請求項５】
以下の条件式（７）を満足するものであることを特徴とする請求項１乃至４のいずれか１項記載の撮像レンズ。
０．０１＜(ｒａ４＋ｒｂ４)／(ｒａ４−ｒｂ４)＜１．３０  ・・・（７）
ただし、
ｒａ４：第４レンズの物体側レンズ面の曲率半径
ｒｂ４：第４レンズの像側レンズ面の曲率半径
【請求項６】
以下の条件式（８）を満足するものであることを特徴とする請求項１乃至５のいずれか１項記載の撮像レンズ。
０．０１＜Ｓｇ１２／ｆ＜０．１２  ・・・（８）
ただし、
Ｓｇ１２：第１レンズと第２レンズとの空気間隔
【請求項７】
以下の条件式（９）を満足するものであることを特徴とする請求項１乃至６のいずれか１項記載の撮像レンズ。
０．０２０＜Ｕ２／ｆ＜０．２４０  ・・・（９）
ただし、
Ｕ２：第２レンズの厚み（光軸上における厚み）
【請求項８】
以下の条件式（１０）を満足するものであることを特徴とする請求項１乃至７のいずれか１項記載の撮像レンズ。
０．０２０＜Ｓｇ３４／ｆ＜０．１２  ・・・（１０）
ただし、
Ｓｇ３４：第３レンズと第４レンズとの間の空気間隔
【請求項９】
前記第４レンズの像側のレンズ面は、有効径内の最外周部を含む領域が正のパワーを有するものであることを特徴とする請求項１乃至８のいずれか１項記載の撮像レンズ。
【請求項１０】
前記撮像レンズを構成する４枚のレンズのいずれもが、ｄ線に対するアッベ数の値が５０以上、６０以下であることを特徴とする請求項１乃至９のいずれか１項記載の撮像レンズ。
【請求項１１】
開口絞りが前記第１レンズの像側の面より物体側に配置されたものであることを特徴とする請求項１乃至１０記載の撮像レンズ。
【請求項１２】
以下の条件式（１′）を満足するものであることを特徴とする請求項１乃至１１のいずれか１項記載の撮像レンズ。
０≦ΔＮ≦０．０５  ・・・（１′）
【請求項１３】
以下の条件式（２′）を満足するものであることを特徴とする請求項１乃至１２のいずれか１項記載の撮像レンズ。
０≦Δν≦３  ・・・（２′）
【請求項１４】
以下の条件式（３′）を満足するものであることを特徴とする請求項１乃至１３のいずれか１項記載の撮像レンズ。
−１．６＜ｆ２／ｆ＜−０．７  ・・・（３′）
【請求項１５】
以下の条件式（４′）を満足するものであることを特徴とする請求項１乃至１４のいずれか１項記載の撮像レンズ。
０．６＜ｆ１／ｆ＜０．９  ・・・（４′）
ただし、
ｆ１：第１レンズの焦点距離
【請求項１６】
以下の条件式（５′）を満足するものであることを特徴とする請求項１乃至１３のいずれか１項記載の撮像レンズ。
０．４＜ｆ３／ｆ＜１．０  ・・・（５′）
ただし、
ｆ３：第３レンズの焦点距離
【請求項１７】
以下の条件式（３″）を満足するものであることを特徴とする請求項１乃至１６のいずれか１項記載の撮像レンズ。
−１．７＜ｆ２／ｆ＜−０．８  ・・・（３″）
【請求項１８】
以下の条件式（１１）を満足するものであることを特徴とする請求項１乃至１６のいずれか１項記載の撮像レンズ。
０．７５≦ｆ１２／ｆ≦１０  ・・・（１１）
ただし、
ｆ１２：第１レンズと第２レンズの合成焦点距離とする。
【請求項１９】
以下の条件式（１２）を満足するものであることを特徴とする請求項１乃至１８のいずれか１項記載の撮像レンズ。
１．６≦ｆ／ｒａ１≦３．０  ・・・（１２）
ただし、
ｒａ１：第１レンズの物体側のレンズ面における曲率半径、
【請求項２０】
請求項１から１９のいずれか１項記載の撮像レンズを備えたことを特徴とする撮像装置。
【発明の詳細な説明】
【技術分野】
【０００１】
本発明は、４枚のレンズで構成された撮像レンズおよびこれを用いた撮像装置に関するものである。
【背景技術】
【０００２】
従来より、撮像レンズを通して形成された光学像をＣＣＤ（Charge Coupled Device）やＣＭＯＳ（Complementary Metal Oxide Semiconductor）等の撮像素子で受光し撮像してカラー画像を得る小型の撮像装置、例えばデジタルスチルカメラ、カメラ付き携帯端末機、情報端末機（ＰＤＡ：Personal Digital Assistance）、スマートフォン、携帯型ゲーム機等などが知られている。
【０００３】
このような４枚構成の撮像レンズとして、例えば、特許文献１や特許文献２が知られている。
【０００４】
上記特許文献１の実施例５には、４枚構成で、４枚のレンズ全てに対し同じ材料を使用することにより、軸上色収差を許容し、倍率の色収差を補正して周辺の光学性能を向上させるように構成した撮像レンズが開示されている。しかしながら、特許文献１の撮像レンズは近年の高画素化、薄型化には十分に対応できるものではない。
【０００５】
また、従来より、光学全長が短く、諸収差が良好に補正された４枚構成の撮像レンズが多く知られている。例えば、上記特許文献２に記載の４枚構成の撮像レンズが知られている。しかしながら、このような、従来より知られている４枚構成の撮像レンズでは、焦点深度が浅くなってしまう傾向がある。
【先行技術文献】
【特許文献】
【０００６】
【特許文献１】実用新案登録第３１４６４３６号公報
【特許文献２】特開２０１１−９５３０１号公報
【発明の概要】
【発明が解決しようとする課題】
【０００７】
上述したとおり、近年、光学性能、特に倍率の色収差や単色の収差が良好で、光学全長が短い撮像レンズが求められている。一方で、ピントの合っている範囲を広くするために、焦点深度の深いレンズも求められている。
【０００８】
本発明は、上記事情に鑑みてなされたものであり、光学性能が良好で、特に単色性能、倍率の色収差を維持したまま、より光学全長を短く、センサー入射角度を小さく、焦点深度を深くすることができる４枚構成の撮像レンズおよびこれを用いた撮像装置を提供することを目的とするものである。
【課題を解決するための手段】
【０００９】
本発明の４枚構成の撮像レンズは、物体側から順に、物体側のレンズ面が近軸領域で凸面をなす正のパワーを有する第１レンズと、負のパワーを有する第２レンズと、物体側のレンズ面が近軸領域で凹面をなす正のパワーを有する第３レンズと、負のパワーを有し像側のレンズ面における周辺部が正のパワーを有するように構成された第４レンズとを配した、実質的に４枚のレンズからなり、条件式（１）：０≦ΔＮ≦０．１、（２）：０≦Δν≦１０、（３）：−２．０＜ｆ２／ｆ＜−０．５を同時に満足することを特徴とするものである。
【００１０】
ただし、ΔＮを撮像レンズを構成するレンズのｄ線に対する屈折率の最大値と最小値との差の絶対値、Δνを撮像レンズを構成するレンズのｄ線を基準にしたアッベ数の最大値と最小値との差の絶対値、ｆをレンズ全系の焦点距離、ｆ２を第２レンズの焦点距離とする。
【００１１】
本発明の撮像レンズによれば、全体として４枚というレンズ構成で光学性能が良好で、特に単色性能、倍率の色収差を維持したまま、より光学全長を短く、センサー入射角度を小さく、焦点深度を深くすることができる撮像レンズおよびこれを用いた撮像装置、例えば携帯端末機やスマートフォンを実現することができる。
【００１２】
なお、上記「レンズ面における周辺部」は、少なくとも、このレンズ面上の近軸領域から外れた領域を意味するものである。この「レンズ面における周辺部」は、例えば、絞り径より外側としたり、または像面対角寸法の半分の高さより外側としたりすることができる。また、この「レンズ面における周辺部」は、必ずしもレンズ面における有効径内の最外周部を含む場合に限るものではない。
【００１３】
本発明の撮像装置は、前記４枚構成の撮像レンズと、この撮像レンズを通して形成された光学像を撮像する撮像素子とを備えたことを特徴とするものである。
【００１４】
本発明の撮像レンズにおいて、さらに、次の好ましい構成を採用して満足することで、光学性能をより良好なものとすることができる。
【００１５】
第４レンズの像側のレンズ面は、有効径内の最外周部を含む領域が正のパワーを有するものであることが好ましい。
【００１６】
前記撮像レンズは、この撮像レンズを構成する４枚のレンズのいずれもが、ｄ線に対するアッベ数の値が５０以上、６０以下であることが望ましい。
【００１７】
前記撮像レンズは、開口絞りが第１レンズの像側の面よりも物体側に配置されていることが好ましい。
【００１８】
本発明の撮像レンズは、以下の条件式（１′）、（２′）、（３′）、（３″）、（４）、（４′）、（５）、（５′）、（６）から（１２）のいずれかを満足することが好ましい。なお、好ましい態様としては、条件式（１′）、（２′）、（３′）、（３″）、（４）、（４′）、（５）、（５′）、（６）から（１２）のいずれか一つを満たすものでもよく、あるいは任意の組合せを満たすものでもよい。
【００１９】
０≦ΔＮ≦０．０５  ・・・（１′）
０≦Δν≦３  ・・・（２′）
−１．６＜ｆ２／ｆ＜−０．７  ・・・（３′）
−１．７＜ｆ２／ｆ＜−０．８  ・・・（３″）
０．５５＜ｆ１／ｆ＜１．０  ・・・（４）
０．６＜ｆ１／ｆ＜０．９  ・・・（４′）
０．０≦ｆ３／ｆ＜１．５  ・・・（５）
０．４＜ｆ３／ｆ＜１．０  ・・・（５′）
−２．５＜ｆ４／ｆ＜０．０  ・・・（６）
０．０１＜(ｒａ４＋ｒｂ４)／(ｒａ４−ｒｂ４)＜１．３０  ・・・（７）
０．０１＜Ｓｇ１２／ｆ＜０．１２  ・・・（８）
０．０２０＜Ｕ２／ｆ＜０．２４０  ・・・（９）
０．０２０＜Ｓｇ３４／ｆ＜０．１２  ・・・（１０）
０．７５≦ｆ１２／ｆ≦１０  ・・・（１１）
１．６≦ｆ／ｒａ１≦３．０  ・・・（１２）
ただし、
ΔＮ：撮像レンズを構成するレンズのｄ線に対する屈折率の最大値と最小値との差の絶対値
Δν：撮像レンズを構成するレンズのｄ線に対するアッベ数の最大値と最小値との差の絶対値
ｆ：レンズ全系の焦点距離
ｆ１：第１レンズの焦点距離
ｆ２：第２レンズの焦点距離
ｆ３：第３レンズの焦点距離
ｆ４：第４レンズの焦点距離
ｆ１２：第１レンズと第２レンズの合成焦点距離とする。
【００２０】
ｒａ４：第４レンズの物体側レンズ面の曲率半径
ｒｂ４：第４レンズの像側レンズ面の曲率半径
Ｓｇ１２：第１レンズと第２レンズとの空気間隔
Ｓｇ３４：第３レンズと第４レンズとの間の空気間隔
Ｕ２：第２レンズの厚み（光軸上における厚み）
ｒａ１：第１レンズの物体側のレンズ面における曲率半径、
とする。
【００２１】
本発明の撮像装置は、前記４枚構成の撮像レンズを備えたことを特徴とするものである。
【発明の効果】
【００２２】
本発明の撮像レンズおよび撮像装置によれば、光学性能が良好で、特に単色性能、倍率の色収差を維持したまま、より光学全長を短く、センサー入射角度を小さく、焦点深度を深くすることができる４枚構成の撮像レンズを実現できる。そして、この撮像レンズを用いることで、焦点深度の深い撮像装置を実現することができる。
【図面の簡単な説明】
【００２３】
【図１】本発明の実施の形態による撮像レンズの概略構成を示す断面図
【図２】実施例１の撮像レンズの概略構成を示す断面図
【図３】実施例２の撮像レンズの概略構成を示す断面図
【図４】実施例３の撮像レンズの概略構成を示す断面図
【図５】実施例４の撮像レンズの概略構成を示す断面図
【図６】実施例５の撮像レンズの概略構成を示す断面図
【図７】実施例６の撮像レンズの概略構成を示す断面図
【図８】実施例１の撮像レンズの収差図であり、（ａ）は球面収差、（ｂ）は非点収差（像面湾曲）、（ｃ）は歪曲収差、（ｄ）は倍率色収差を示す。
【図９】実施例２の撮像レンズの収差図であり、（ａ）は球面収差、（ｂ）は非点収差（像面湾曲）、（ｃ）は歪曲収差、（ｄ）は倍率色収差を示す。
【図１０】実施例３の撮像レンズの収差図であり、（ａ）は球面収差、（ｂ）は非点収差（像面湾曲）、（ｃ）は歪曲収差、（ｄ）は倍率色収差を示す。
【図１１】実施例４の撮像レンズの収差図であり、（ａ）は球面収差、（ｂ）は非点収差（像面湾曲）、（ｃ）は歪曲収差、（ｄ）は倍率色収差を示す。
【図１２】実施例５の撮像レンズの収差図であり、（ａ）は球面収差、（ｂ）は非点収差（像面湾曲）、（ｃ）は歪曲収差、（ｄ）は倍率色収差を示す。
【図１３】実施例６の撮像レンズの収差図であり、（ａ）は球面収差、（ｂ）は非点収差（像面湾曲）、（ｃ）は歪曲収差、（ｄ）は倍率色収差を示す。
【図１４】本発明に係る撮像レンズを備えた撮像装置の1例である携帯電話端末を示す図。
【図１５】本発明に係る撮像レンズを備えた撮像装置の1例であるスマートフォンを示す図。
【発明を実施するための形態】
【００２４】
本発明は、ＣＣＤやＣＭＯＳ等の撮像素子上に被写体の光学像を形成するための撮像レンズ、およびその撮像レンズを搭載して撮影を行う携帯端末機、デジタルスチルカメラやカメラ付き携帯電話機および情報端末等の撮像装置に関するものである。
【００２５】
以下、本発明の４枚構成の撮像レンズおよびこの撮像レンズを備えた撮像装置について図面を参照して説明する。
【００２６】
図１は、本発明の４枚構成からなる撮像レンズを備えた撮像装置を搭載した携帯端末機の概略構成を示す断面図である。なお、図１中の矢印Ｘ、Ｙ、Ｚは、後述する図２から図８と同様に、互いに直交する３方向を示すものであり、矢印Ｚ方向は光軸Ｚ１と同じ方向を示している。
【００２７】
また、図１に示す携帯端末機２００は、４枚構成の撮像レンズ１００と、例えばＣＣＤやＣＭＯＳ等の固体撮像素子である撮像素子２１０とからなる撮像装置１５０を搭載したものであり、さらに、撮像素子２１０の撮像で得られた画像データＧｓに対して画像処理を施す画像処理部２２０と、画像処理部２２０で生成された処理済み画像データＧｓｅの表す画像を表示する表示部２３０とを備えている。
【００２８】
撮像素子２１０は、撮像レンズ１００を通してこの撮像素子２１０の撮像面２１０Ｊ上に形成された被写体１を表す光学像Ｉｍを電気信号に変換して、この光学像Ｉｍを示す画像データＧｓを出力するものである。
【００２９】
撮像レンズ１００は、物体側（図中矢印−Ｚ方向の側）より順に、物体側のレンズ面Ｓａ１が近軸領域で凸面をなす正のパワーを有する第１レンズＬ１と、負のパワーを有する第２レンズＬ２と、物体側のレンズ面Ｓａ３が近軸領域で凹面をなす正のパワーを有する第３レンズＬ３と、負のパワーを有し像側のレンズ面Ｓｂ４において、その周辺部におけるレンズ面が正のパワーを有する第４レンズＬ４とを配置した実質的に４枚のレンズからなり、条件式（１）：０≦ΔＮ≦０．１、条件式（２）：０≦Δν≦１０、条件式（３）：−２．０＜ｆ２／ｆ＜−０．５を同時に満足するものである。
【００３０】
なお、図１中において、第１レンズＬ１の像側のレンズ面を符号「Ｓｂ１」で示し、第２レンズＬ２の物体側のレンズ面を符号「Ｓａ２」で示し、第２レンズＬ２の像側のレンズ面を符号「Ｓｂ２」で示し、第３レンズＬ３の像側のレンズ面を符号「Ｓｂ３」で示し、第４レンズＬ４の物体側のレンズ面を符号「Ｓａ４」で示す。
【００３１】
上記撮像レンズ１００に関する構成は、本発明の撮像レンズについて必須の構成である。
【００３２】
以下、本発明の撮像レンズについて選択可能な構成について説明する。
【００３３】
上記「第４レンズＬ４のレンズ面における周辺部」以外の領域、例えば、レンズ面Ｓｂ４における近軸領域や有効径内の最外周部は、正のパワーを持つ領域としたり、パワーを持たない領域としたり、負のパワーを持つ領域とすることができる。より具体的には、レンズ面Ｓｂ４における近軸領域や有効径内の最外周部は、凸面としたり、平面としたり、凹面とすることができる。
【００３４】
また、上記撮像レンズ１００は、パワーを持たない光学要素ＬＬや開口絞りＳｔを備えたものとすることができる。光学要素ＬＬは、狭い波長帯域を持つフィルターとすることが望ましいが、そのような場合に限らず、ローパスフィルタや特定の波長帯域をカットするフィルターとすることができる。また、光学要素ＬＬは、撮像レンズ１００と撮像素子２１０との間に配置される場合に限らず、撮像レンズ１００の物体側や撮像レンズ１００を構成するレンズの間に配置することもできる。また、開口絞りＳｔは、撮像レンズ１００を構成するレンズの間に配置したり、撮像レンズ１００の物体側や像側に配置したり、撮像レンズ１００を構成するレンズの内部に配置することができる。
【００３５】
ここで、具体的な実施例の説明に先立って、各実施例に共通する事項について説明する。
【００３６】
各実施例の撮像レンズ１００は、物体側から順に、物体側のレンズ面が近軸領域で凸面をなす正のパワーを有する第１レンズと、負のパワーを有する第２レンズと、物体側のレンズ面が近軸領域で凹面をなす正のパワーを有する第３レンズと、負のパワーを有し像側のレンズ面における周辺部が正のパワーを有するように形成された第４レンズとを配した、実質的に４枚のレンズからなり、条件式（１）：０≦ΔＮ≦０．１、条件式（２）：０≦Δν≦１０、条件式（３）：−２．０＜ｆ２／ｆ＜−０．５を同時に満足するように構成したものである。上記のように構成したので、良好な光学性能を得ることができ、特に単色性能、倍率の色収差を維持したまま、光学全長を短く、センサー入射角度を小さく、かつ、焦点深度を深くすることができる。
【００３７】
なお、第４レンズに関し、「像側のレンズ面における周辺部が正のパワーを有する」とは、具体的には、例えば、像側のレンズ面が、軸上近辺で凹面であっても、その周辺部では凸の形状を有する等のことであり、これにより、光学全長が短くとも、周辺光線のセンサー入射角度を小さくすることが可能になる。上記周辺部は、具体的には、絞り径より外側としたり、または像面対角寸法の半分の高さより外側としたりすることができる。また、この像側のレンズ面における最外周部は、レンズの厚さを確保する目的で、凹形状であってもよい。
【００３８】
上記撮像レンズ１００によれば、軸上色収差の発生を許容することにより、各単色での光学性能を維持したまま、光学全長を短く、センサー入射角度を小さく、かつ、焦点深度を深くすることができる。また、この撮像レンズ１００は、軸上色収差の発生を許容するので、必要以上に色消しのレンズ構成を含む必要がなく、より容易に小型化することができる。
【００３９】
また、略同じ光学特性、すなわち、屈折率とアッベ数が両方共に略同じである材料で各レンズを構成することにより、軸上の色収差が大きくとも、倍率の色収差（色による倍率の違い）を小さくすることが可能になる。
【００４０】
さらに、第１レンズから順にレンズのパワー（近軸領域におけるパワー）が正負正負となるように構成されているので、一層、倍率の色収差を小さくすることが可能になる。なお、単に、倍率の色収差を補正したとしても、単色での球面収差、コマ収差、非点収差、像面湾曲、および歪曲収差の発生が大きい場合には良好な光学性能が得られないが、上記のように、正負正負の構成とすることにより、それらの単色での収差を良好に補正することが可能となる。
【００４１】
なお、条件式（１）：０≦ΔＮ≦０．１、の上限を上回ると焦点深度を深くしつつ像面湾曲を補正することが困難になる。
【００４２】
また、条件式（２）：０≦Δν≦１０、の上限を上回ると焦点深度を深くしつつ倍率色収差を補正することが困難になる。
【００４３】
また、条件式（３）：−１．６＜ｆ２／ｆ＜−０．７、の上限を上回ると、第２レンズのパワーが大きくなりすぎて、短い光学全長を維持する事が困難になる。もしくは、像面湾曲の補正、周辺光量の確保に対して不利である。また、所定のセンサー入射角（像側テレセントリック性）が得られなくなる。
【００４４】
一方、この条件式（３）の下限を下回ると、中間画角から周辺画角までの非点隔差が多くなってしまう。また、光学全長が大きくなってしまうという問題が生じる。
【００４５】
なお、条件式（４）：０．５５＜ｆ１／ｆ＜１．０、の上限を上回るように撮像レンズ１００を構成すると、第１レンズのパワーが小さくなりすぎてレトロフォーカスタイプのような構成となってしまい、光学全長を小さくするのに不利である。また、光学全長を維持しようとするときに樽型の歪曲収差が生じやすくなるなどレンズ設計上のバランスをとり難くなってしまう。
【００４６】
一方、この条件式（４）の下限を下回るように撮像レンズ１００を構成すると、第１レンズのパワーが大きくなりすぎて他のレンズとのパワー関係が予め定められた所定の関係から崩れてしまい、像面湾曲がアンダー（補正不足）になり、歪曲収差、球面収差のバランスが崩れやすくなる。また、周辺光量が小さくなってしまう。
【００４７】
また、条件式（５）：０．０≦ｆ３／ｆ＜１．５、の上限を上回ると、光学全長が大きくなる傾向が高まり、その光学全長の増大を抑制しようとすると像面湾曲を補正することが難しくなる。
【００４８】
一方、この条件式（５）の下限を下回ると、第３レンズのパワーが負になり、軸上収差、非点隔差が悪化し、樽型の歪曲収差が生じ易くなる。また、射出角度（センサー入射角度）を小さく抑えて所定範囲内とすることが難しくなる。
【００４９】
また、条件式（６）：−２．４１＜ｆ４／ｆ＜０．０、の上限を上回ると、第４レンズＬ４のパワーが強くなりすぎるため、像面湾曲がアンダー（補正不足）となり、かつ樽型の歪曲収差が増大してしまう。一方、この条件式（６）の下限を下回ると、第４レンズのパワーが弱くなりすぎるため、像側テレセントリック性が悪化する。
【００５０】
また、条件式（７）：０．０１＜(ｒａ４＋ｒｂ４)／(ｒａ４−ｒｂ４)＜１．３０および条件式（８）：０．０１＜Ｓｇ１２／ｆ＜０．１２を満足することにより、具体的には、第４レンズのベンディングを条件式（７）で規定する範囲内とし、第１レンズと第２レンズとの空気間隔を条件式（８）で規定する範囲内とすることにより、色収差以外の諸収差の発生を抑制することができるとともに、像側テレセントリック性を確保することができ（撮像面への入射角を小さくすることができ）、さらに、バックフォーカスを確保しつつ光学全長を短くすることができる。
【００５１】
また、上記条件式（７）の上限を上回ると、像側テレセントリック性が悪化する。一方、この条件式（７）の下限を下回ると、中間像高領域における像面湾曲や歪曲収差の発生量が大きくなってしまう。
【００５２】
また、上記条件式（８）の上限を上回ると、有効径内の周縁部を通る光線について、球面収差が補正過剰となり像面湾曲はアンダー（補正不足）となってしまう。一方、この条件式（８）の下限を下回ると、各光線について、第１レンズの像側のレンズ面での光線高さと第２レンズの物体側のレンズ面での光線高さの差が小さくなる。そのため、上記第１レンズの像側のレンズ面および／または第２レンズの物体側のレンズ面を非球面とした場合には、この非球面を用いた効果を十分に活かすことができない。また、有効径内の周縁部を通る光線について、球面収差が補正不足となり像面湾曲はオーバー（補正過剰）となってしまう。
【００５３】
また、条件式（９）：０．０２０＜Ｕ２／ｆ＜０．２４０を満足するように撮像レンズ１００を構成すれば、具体的には、第２レンズの厚さとレンズ全系の焦点距離との比率をこの条件式（９）で規定する範囲内にすることにより、球面収差や像面湾曲の発生を抑制することができる。
【００５４】
なお、上記条件式（９）の上限を上回るように撮像レンズ１００を構成すると、球面収差が補正過剰となり、より具体的には瞳の周縁部を通る光線についての補正が過剰となり、像面湾曲がアンダー（補正不足）となってしまう。一方、この条件式（９）の下限を下回るように撮像レンズ１００を構成すると、球面収差が補正不足となり、より具体的には瞳の周縁部を通る光線についての補正が不足となり、像面湾曲がオーバー（補正過剰）となってしまう。
【００５５】
また、条件式（１０）：０．０２０＜Ｓｇ３４／ｆ＜０．１２を満足することにより、具体的には、第２レンズの厚みとレンズ全系の焦点距離との比率をこの条件式（１０）で規定する範囲内にすれば、コマ収差や非点収差の発生を抑制することができ、像側テレセントリック性を高めることができる。
【００５６】
また、上記条件式（１０）の上限を上回るように撮像レンズ１００を構成すれば、周辺光線での第３レンズの像側のレンズ面での光線高さと、第４レンズの物体側のレンズ面での光線高さとの差が大きくなり、コマ収差の発生量が大きくなり非点収差への影響が大きくなるとともに、センサー入射角を小さく保つ（像側テレセントリック性を保つ）ことが困難となる。一方、この条件式（１０）の下限を下回るように撮像レンズ１００を構成すると、像面湾曲がアンダー（補正不足）になってしまう。
【００５７】
第２レンズの物体側のレンズ面を、近軸領域において凹面をなすものとすれば、センサー入射角度を小さくすることに対しては不利になるものの、光学全長を短くする上で有利である。
【００５８】
第２レンズを負のパワーを有するものとすれば、ペッツバール和を小さくする上で有利である。
【００５９】
第１レンズから第４レンズの各レンズは、少なくとも片面が非球面で形成されたものとすることが望ましい。すなわち、第１レンズＬ１から第４レンズＬ４それぞれは、両面非球面レンズまたは片面非球面レンズとすることが望ましい。
【００６０】
第２レンズを、近軸領域において負のパワーを有するものとすれば、ペッツバール和を０に近づけることができる。
【００６１】
第４レンズの像側のレンズ面を、面頂（レンズ面上の光軸と交わる位置）以外の位置であって近軸領域から外れた位置に極点（極大点、極小点）を有し、有効径内の最外周部（周縁部）を含む領域では正のパワーを有するものとすれば、撮像レンズ１００を通して形成される光学像の周辺像高領域（像高が絞り径よりも大きくなる領域）においてテレセントリック性を高めることができる。
【００６２】
第４レンズの像側のレンズ面を、近軸領域で凹面をなすものとすれば、センサー入射角度を小さくすることについては不利であるものの、光学全長を短くする上で有利である。
【００６３】
また、第１レンズの物体側に絞りを配置するように撮像レンズ１００を構成すれば、像側テレセンリック性が向上する（射出角度が光軸に対して平行に近くなる）ため、光学全長を短縮することができる。
【００６４】
なお、上記各条件式中の数式の値は、曲率半径や焦点距離の値の正負を考慮して求められるものである。レンズ面の曲率半径は物体側に凸の場合を正、像側に凸の場合を負としている。
【００６５】
また、レンズ面が非球面である場合には、特にことわりのないときには、レンズ面の凹凸、曲率半径の正負、およびパワー（屈折力）の正負は、それぞれ、近軸領域での凹凸、曲率半径の正負、およびパワー（屈折力）の正負を意味するものとする。なお、レンズ面内の特定の領域についての凹凸、曲率半径の正負、およびパワー（屈折力）の正負は、その領域毎に凹凸や正負を定めるものとする。
【００６６】
なお、「実質的に４枚のレンズからなる撮像レンズ１００」とは、４枚のレンズ以外に、実質的にパワーを有さないレンズ、絞りやカバーガラス等レンズ以外の光学要素、レンズフランジ、レンズバレル、撮像素子、手振れ補正機構等の機構部分、等を持つものも含む。このように、４枚のレンズからなる撮像レンズ１００は、４枚のレンズのみで構成されたものであってもよいし、あるいは、４枚のレンズ以外に、パワーを有さないレンズやレンズ以外の光学要素等を持つものであってもよい。
【００６７】
なお、ｎ枚のレンズからなるとは、ｎ枚の単レンズからなることを意味するものであり、接合レンズを含む場合のレンズ枚数については、ｎ枚のレンズを接合してなる接合レンズはｎ枚のレンズからなるものとしてそのレンズ枚数をカウントする。
【００６８】
光学全長は、撮像レンズ１００における最も物体側のレンズ面からこの撮像レンズ１００の像側の焦点位置（物体側に位置する無限遠被写体から発せられた光束（ｄ線）を撮像レンズ１００へ通したときの収束位置）までの光軸上における距離である。なお、この距離は、最も物体側に配されたレンズ面から最も像側に配されたレンズ面までの距離については空気換算しない実長を用い、最も像側に配されたレンズ面から上記焦点位置までの距離（すなわち、バックフォーカス）については空気換算バックフォーカスを用いて定められるものである。
【００６９】
また、撮像レンズ１００を構成する第１レンズと第２レンズは、条件式（１１）：０．７５≦ｆ１２／ｆ≦１０を満足することが望ましく、条件式（１１′）：０．７５≦ｆ１２／ｆ≦２．５を満足することがより望ましく、条件式（１１″）：１．２５≦ｆ１２／ｆ≦２．５を満足することがさらに望ましい。ただし、ｆ１２を第１レンズと第２レンズの合成焦点距離とする。
【００７０】
この条件式（１１）は、第１レンズと第２レンズの合成焦点距離ｆ１２と、撮像レンズ１００のレンズ全系の焦点距離ｆとの比率の範囲を規定するものである。
【００７１】
この条件式（１１）の上限を上回ると、レトロフォーカスタイプに近づき、主点が像側に移動してしまうので、原理的に光学全長の短縮が難しくなってしまう。一方、条件式（１１）の下限を下回ると、像面湾曲がアンダーになりすぎたり、周辺光量が小さくなりすぎてしまう。
【００７２】
撮像レンズ１００を構成する第１レンズの物体側のレンズ面は、条件式（１２）：１．６≦ｆ／ｒａ１≦３．０を満足することが望ましい。ただし、ｒａ１を第１レンズの物体側のレンズ面における曲率半径、ｆを撮像レンズ１００のレンズ全系の焦点距離とする。
【００７３】
この条件式（１２）は、光学全長、画角、像側に射出される光線の角度（像側テレセントリック性）に対して大きく影響を与えるものであり、上記光学全長、画角、像側テレセントリック性を良好に保つ範囲を規定するものである。
【００７４】
上記条件式（１２）の上限を上回るように撮像レンズ１００を構成すると、球面収差がアンダー（補正不足）になり、歪曲収差がマイナス側（樽型）になりすぎてしまう。一方、この条件式（１２）の下限を下回るように撮像レンズ１００を構成すると、光学全長の増大を抑える上で不利になる。
【００７５】
撮像レンズ１００を構成する第３レンズの像側のレンズ面は、条件式（１３）：１．５＜｜ｆ／ｒｂ３｜＜４．５を満足することが望ましい。ただし、ｒｂ３を第３レンズの像側のレンズ面における曲率半径とする。
【００７６】
この条件式（１３）は、撮像レンズ１００のレンズ全系の焦点距離ｆと、第３レンズの像側のレンズ面における曲率半径ｒｂ３との比率の範囲を規定するものである。
【００７７】
条件式（１３）の上限を上回ると、中間像高領域での撮像面への入射角（センサー入射角）が大きくなったり（像側テレセントリック性が悪化したり）、像面湾曲がオーバー（補正過剰）となったり、糸巻き状の歪曲収差が生じ易くなったりする。一方、条件式（１３）の下限を下回ると周辺像高領域での撮像面への入射角が大きくなってしまう（周辺像高領域でのテレセントリック性が悪化する）。
【００７８】
なお、上記中間像高領域は、撮像レンズ１００を通して形成される光学像が光軸と交わる位置と、光学像の最大像高位置との中間位置の近傍に位置する光学像中の領域である。
【００７９】
上記撮像レンズ１００は、条件式（１４）：０．９≦ＴＬ／ｆ≦１．２５を満足することが望ましく、条件式（１４′）：１．００≦ＴＬ／ｆ≦１．２３を満足することがより望ましい。
【００８０】
この条件式（１４）は、光学全長ＴＬと撮像レンズ１００のレンズ全系の焦点距離ｆとの比率の範囲を規定するものである。
【００８１】
条件式（１４）の下限を下回ると、各レンズのパワーを大きくしなければならなくなるので諸収差が悪化し光学性能が低下するという問題が生じる。特に第３レンズと第４レンズにおいて軸上光束と軸外光束とが接近しすぎるので、軸上光束と軸外光束の双方について同時に収差バランスを取ることが難しくなるという問題が生じる。一方、この条件式（１４）の上限を上回ると、撮像レンズ１００の小型化が難しくなる。
【００８２】
撮像レンズ１００は、条件式（１５）：１００≦ｆ＊ｆ／（ｆ−ｆＦ）≦４００、を満足することが望ましく、条件式（１５′）：１２０≦ｆ＊ｆ／（ｆ−ｆＦ）≦２８０、を満足することが更に望ましい。ただし、ｆＦはＦ線についての撮像レンズ１００のレンズ全系の焦点距離、ｆはｄ線についての撮像レンズ１００のレンズ全系の焦点距離である。この条件式（１５）中の数式は、単位として［ｍｍ］を用いるものである。
【００８３】
ここで、色ズレは、赤の波長（ｄ線基準とした場合、ｄ線よりも長波側）が人に認識されやすいため、赤色軸上色収差は増やしたくない。そこで、青側の波長に対してより大きな重み付けを加えて、白色となるように補正する事を、センサー出力画像の後工程で行うことが可能であり、青側の波長と基準波長の軸上色収差の補正が、白色の解像深度を生成する上で最も重要になる。
【００８４】
上記、条件式（１５）の下限を下回ると、撮像対象となる被写体から発せられる光の色の違いによる悪影響が過大となり（焦点距離の差が必要以上に増大してしまい）、白色の解像深度が深い画像を生成可能な光学像の形成が難しくなる。
【００８５】
また、この条件式（１５）の上限を上回ると、撮像対象となる被写体から発せられる光の色の違いによる焦点距離の差を利用することが難しくなるため、白色の解像深度が広い画像を生成可能な光学像を形成するという目的の達成が困難になる。
【００８６】
上記撮像レンズ１００において、４枚すべてのレンズをプラスチックレンズとすれば、射出成形により容易に非球面のプラスチックレンズを形成できる上、軽量化することができ、持ち運びを容易とし、かつオートフォーカス機構を駆動するための電流消費の負担を軽減することができる。このような撮像レンズ１００は、携帯端末機への適用に適している。
【００８７】
また、上記撮像レンズ１００は、単色での光学性能を、撮像面内の各領域について均質にすることができるため、狭い波長帯域を持つフィルターを光路中に配して白黒画像あるいは、特定の単色画像を取得するための撮像装置や、取得した画像データに対し画像処理を施して焦点深度を拡大する撮像装置への適用にも適している。
【００８８】
上記撮像レンズ１００における第４レンズＬ４の像側のレンズ面Ｓｂ４は、有効径内の最外周部を含む領域が正のパワーを有するものとすることができる。
【００８９】
上記撮像レンズ１００は、さらに、以下のような構成を有するものとすることができる。
【００９０】
第２レンズＬ２の物体側のレンズ面Ｓａ２は、近軸領域において凹面をなすものとすることができる。
【００９１】
第１レンズＬ１から第４レンズＬ４の各レンズは、両面非球面レンズまたは片面非球面レンズとすることが望ましい。
【００９２】
第４レンズＬ４の像側のレンズ面Ｓｂ４は、近軸領域から外れた位置に極点（極大点、極小点）を有し、このレンズ面Ｓｂ４の有効径内の最外周部（周縁部）を含む領域において正のパワーを有するものとすることができる。
【００９３】
第４レンズＬ４の像側のレンズ面Ｓｂ４は、近軸領域において凹面をなすものとすることができる。
【００９４】
また、第１レンズＬ１の物体側に絞りＳｔを配置したり、第１レンズＬ１と第２レンズＬ２との間に絞りＳｔを配置したり、あるいは、第１レンズＬ１の内部に絞りＳｔを配置したりすることができる。例えば、第１レンズＬ１をプラスチックレンズとする場合には、絞りＳｔを第１レンズＬ１の内部に配置するようにインサート成形することにより、絞りＳｔを内包した第１レンズＬ１を形成することができる。
【００９５】
上記撮像レンズ１００において、４枚すべてのレンズ（第１レンズＬ１〜第４レンズＬ４）をプラスチックレンズとすることができる。
【００９６】
次に、携帯端末機２００の作用について説明する。
【００９７】
携帯端末機２００において、上記撮像レンズ１００を通して形成される、軸上色収差を意図的に発生させた光学像Ｉｍを撮像素子２１０で撮像して画像データＧｓを取得する。
【００９８】
次に、画像処理部２２０が、撮像素子２１０から入力された画像データＧｓに対し画像処理を施して処理済み画像データＧｓｅ生成する。
【００９９】
表示部２３０は、画像処理部２２０から入力された処理済み画像データＧｓｅの表す画像を表示する。
【実施例】
【０１００】
次に、本発明の４枚構成の撮像レンズに関する具体的な数値データを示す実施例１〜７について、図２〜図７、図８〜図１３、表１Ａ、１Ｂ、２Ａ，２Ｂ・・・６Ａ、６Ｂ、および表７を参照し説明する。なお、上述の撮像レンズ１００を示す図１中の符号と一致する図２から図７中の符号は互に対応する構成要素を示している。
【０１０１】
＜実施例１＞
以下、実施例１について説明する。
【０１０２】
図２は、実施例１の撮像レンズの概略構成を示す断面図である。
【０１０３】
また、下記表１Ａは、実施例１の撮像レンズのレンズデータを示すものである。表１Ａに示すレンズデータにおいて、面番号ｉは最も物体側に配置された面を１番目として像側に向かうに従い順次増加するｉ番目（ｉ＝１、２、３、…）の面Ｓｉの面番号を示す。なお、表１Ａのレンズデータには、絞りＳｔ、パワーを持たない光学要素ＬＬ、および光学像Ｉｍが形成される撮像面２１０Ｊも含めて面番号を付している。
【０１０４】
表１Ａ中の記号Ｒｉはｉ番目（ｉ＝１、２、３、…）の面の曲率半径を示し、記号Ｄｉはｉ（ｉ＝１、２、３、…）番目の面とｉ＋１番目の面との光軸Ｚ１上の面間隔を示す。記号Ｒｉおよび記号Ｄｉは、レンズ面や絞り等を示す記号Ｓｉ（ｉ＝１、２、３、・・・）と番号が対応している。
【０１０５】
また、表１Ａ中の記号Ｎｄｊは最も物体側の光学要素を１番目として像側に向かうに従い順次増加するｊ番目（ｊ＝１、２、３、…）の光学要素のｄ線（波長５８７．６ｎｍ）に対する屈折率を示し、νｄｊはｊ番目の光学要素のｄ線を基準にしたアッベ数を示す。表１Ａにおいて、曲率半径および面間隔の単位はｍｍであり、曲率半径は物体側に凸の場合を正、像側に凸の場合を負としている。
【０１０６】
また、表１Ａのレンズデータでは、非球面に対して面番号に＊印を付しており、非球面の曲率半径Ｒｉの値は、近軸曲率半径の値を示している。
【０１０７】
なお、上記のような光学系は、一般にレンズ等の光学要素の寸法を比例拡大または比例縮小しても所定の性能を維持することが可能なため、上記レンズデータ全体を比例拡大または比例縮小した撮像レンズについても本発明に係る実施例とすることができる。
【表１Ａ】
2013182132.tif 000003
【０１０８】
さらに、表１Ｂに実施例１の撮像レンズに関する非球面係数を示す。すなわち、表１Ａにおいて面番号に＊印が付与されている非球面に関する非球面係数が表１Ｂに示されている。
【０１０９】
なお、表１Ｂに記載されている非球面係数は、下記非球面式に適用して非球面形状が定められるように作成されたものである。
【０１１０】
Ｚｆ（ρ）＝Ｃ・ρ2／｛１＋（１−Ｋ・Ｃ2・ρ2）１／２｝＋ΣＡn・｜ρ｜n 
ただし、
Ｚｆ（ρ）：非球面の深さ（ｍｍ）
ρ：光軸からレンズ面までの距離（高さ）（ｍｍ）、ρ＝Ｘ２+Ｙ２
Ｋ：２次曲面を表す非球面係数
Ｃ：近軸曲率＝１／Ｒ（Ｒ：近軸曲率半径）
Ａｎ：第ｎ次（ｎは３以上の整数）の非球面係数
【表１Ｂ】
2013182132.tif 000004
【０１１１】
図８（ａ）〜（ｅ）に、実施例１の撮像レンズの収差図を示す。図８（ａ）は球面収差（軸上色収差）を示す図、図８（ｂ）は非点収差を示す図、図８（ｃ）は歪曲収差を示す図、図８（ｄ）は倍率色収差を示す図である。
【０１１２】
なお、非点収差図（ｂ）の実線はサジタル方向の収差、破線はタンジェンシャル方向の収差を示す。また、球面収差図（ａ）の上部に記載の「ＦＮｏ．３．２３」はＦナンバーが３．２３であることを意味する。その他の収差図（ｂ）〜（ｄ）の上部に記載の「ω＝３２．６°」は半画角が３２．６°であることを意味する。
【０１１３】
以下、表７について説明する。
【０１１４】
表７は、実施例１、および後述する実施例２〜実施例６の撮像レンズについて、各条件式中の数式や変数記号に対応する値や光学全長を示すものである。表７から解るように、実施例１の撮像レンズは、条件式（１）〜（１５）の全てを満たしている。なお、表７は、実施例の説明の最後に示す。
【０１１５】
上記実施例１の撮像レンズの構成を示す図２、収差を示す図８（ａ）〜図８（ｄ）、レンズデータを示す表１Ａ、１Ｂ、および表７の読取り方は、後述する実施例２〜６に対応する図、表についても同様なので、後述の実施例についてはそれらの説明は省略する。
【０１１６】
＜実施例２＞
以下、実施例２について説明する。
【０１１７】
図３は、実施例２の撮像レンズの概略構成を示す断面図である。
【０１１８】
この実施例２の撮像レンズは、上記表７から解るように、条件式（１）〜（１５）の全てを満たしている。
【０１１９】
また、図９（ａ）〜（ｄ）は、実施例２の撮像レンズの諸収差を示す図である。
【０１２０】
下記表２Ａに実施例２の撮像レンズのレンズデータを、表２Ｂに実施例２の撮像レンズの非球面係数を示す。
【表２Ａ】
2013182132.tif 000005
【表２Ｂ】
2013182132.tif 000006
【０１２１】
＜実施例３＞
以下、実施例３について説明する。
【０１２２】
図４は、実施例３の撮像レンズの概略構成を示す断面図である。
【０１２３】
この実施例３の撮像レンズは、表７から解るように、条件式（１）〜（１５）の全てを満たしている。
【０１２４】
また、図１０（ａ）〜（ｄ）は、実施例３の撮像レンズの諸収差を示す図である。
【０１２５】
下記表３Ａに実施例３の撮像レンズのレンズデータを、表３Ｂに実施例３の撮像レンズの非球面係数を示す。
【表３Ａ】
2013182132.tif 000007
【表３Ｂ】
2013182132.tif 000008
【０１２６】
＜実施例４＞
以下、実施例４について説明する。
【０１２７】
図５は、実施例４の撮像レンズの概略構成を示す断面図である。
【０１２８】
この実施例４の撮像レンズは、表７から解るように、条件式（１）〜（１５）の全てを満たしている。
【０１２９】
また、図１１（ａ）〜（ｄ）は、実施例４の撮像レンズの諸収差を示す図である。
【０１３０】
下記表４Ａに実施例４の撮像レンズのレンズデータを、表４Ｂに実施例４の撮像レンズの非球面係数を示す。
【表４Ａ】
2013182132.tif 000009
【表４Ｂ】
2013182132.tif 000010
【０１３１】
＜実施例５＞
以下、実施例５について説明する。
【０１３２】
図６は、実施例５の撮像レンズの概略構成を示す断面図である。
【０１３３】
この実施例５の撮像レンズは、表７から解るように、条件式（７）以外の全ての条件式を満たしている。
【０１３４】
また、図１２（ａ）〜（ｄ）は、実施例５の撮像レンズの諸収差を示す図である。
【０１３５】
下記表５Ａに実施例５の撮像レンズのレンズデータを、表５Ｂに実施例５の撮像レンズの非球面係数を示す。
【表５Ａ】
2013182132.tif 000011
【表５Ｂ】
2013182132.tif 000012
【０１３６】
＜実施例６＞
以下、実施例６について説明する。
【０１３７】
図７は、実施例６の撮像レンズの概略構成を示す断面図である。
【０１３８】
この実施例６の撮像レンズは、表７から解るように、条件式（１）〜（１５）の全てを満たしている。
【０１３９】
また、図１３（ａ）〜（ｄ）は、実施例６の撮像レンズの諸収差を示す図である。
【０１４０】
下記表６Ａに実施例６の撮像レンズのレンズデータを、表６Ｂに実施例６の撮像レンズの非球面係数を示す。
【表６Ａ】
2013182132.tif 000013
【表６Ｂ】
2013182132.tif 000014
【０１４１】
下記表７は、上述のように、実施例１から６の撮像レンズについて、条件式中の各数式や変数記号に対応する値や光学全長を示すものである。
【表７】
2013182132.tif 000015
【０１４２】
上記実施例では、本発明を携帯端末機に適用した例について図示して説明したが、本発明はこのような用途に限定されるものではなく、例えば、デジタルスチルカメラ、カメラ付き携帯端末機、あるいは情報端末機（ＰＤＡ）、スマートフォン、携帯ゲーム機等にも適用可能である。
【０１４３】
図１４に、本発明の撮像装置の１例であるカメラ付き携帯端末機Ｍ１の外観図を示す。このカメラ付き携帯端末機Ｍ１は、本発明の実施の形態に係る撮像レンズＭＬ１と、この撮像レンズＭＬ１によって形成された光学像を撮像して、この光学像に応じた撮像信号を出力するＣＣＤなどの撮像素子ＭＳ１とを備えてなるものである。撮像素子ＭＳ１は、この撮像レンズＭＬ１の結像面（撮像面）に配置される。
【０１４４】
また、図１５に、本発明の撮像装置の１例であるスマートフォンＭ２の外観図を示す。このスマートフォンＭ２は、本発明の実施の形態に係る撮像レンズＭＬ２と、この撮像レンズＭＬ２によって形成された光学像を撮像して、この光学像に応じた撮像信号を出力するＣＣＤなどの撮像素子ＭＳ２とを備えてなるものである。撮像素子ＭＳ２は、この撮像レンズＭＬ２の結像面（撮像面）に配置される。
【０１４５】
なお、本発明は上記実施の形態および実施例に限定されず、種々の変形が可能である。例えば、各レンズ要素の曲率半径、面間隔、屈折率、アッベ数等の値は、上記各数値実施例で示した値に限定されず、他の値をとり得るものである。
【符号の説明】
【０１４６】
Ｌ１    第１レンズ
Ｌ２    第２レンズ
Ｌ３    第３レンズ
Ｌ４    第４レンズ
Ｓａ１    第１レンズの物体側のレンズ面
Ｓａ３    第３レンズの物体側のレンズ面
Ｓｂ４    第４レンズの像側のレンズ面
【図１】
2013182132.tif 000016
【図２】
2013182132.tif 000017
【図３】
2013182132.tif 000018
【図４】
2013182132.tif 000019
【図５】
2013182132.tif 000020
【図６】
2013182132.tif 000021
【図７】
2013182132.tif 000022
【図１４】
2013182132.tif 000023
【図１５】
2013182132.tif 000024
【図８】
2013182132.tif 000025
【図９】
2013182132.tif 000026
【図１０】
2013182132.tif 000027
【図１１】
2013182132.tif 000028
【図１２】
2013182132.tif 000029
【図１３】
2013182132.tif 000030